(57)【要約】【課題】リモートコントローラ上の操作ボタンによってガイダンス画面を切替える事を可能にして、単一の表示画面上で複数のガイダンス表示を持ち表示のページングを可能にするとともに、ガイダンスの切替と同時にリモートコントローラの操作ボタンの機能を切替えることが可能なデジタルＡＶ機器システム及びデジタルＡＶ機器とその制御装置を提供する。【解決手段】表示画面３を備えるデジタルＡＶ機器２と、デジタルＡＶ機器２の操作を指示する複数個の操作ボタンを備える制御装置１とからなるデジタルＡＶ機器システムにおいて、制御装置１は、各操作ボタンの操作機能を切替える機能切替ボタンを備え、デジタルＡＶ機器２の表示画面３に画面内の表示内容毎に領域分割し、デジタルＡＶ機器２の機能を実行するための操作に対応する表示がされる領域と操作ボタンの機能を示す表示領域であって、操作切替ボタンによる切替に対応して、操作ボタン機能表示領域の表示を切り替えるよう指示する機能を有する。【選択図】        図１
2004194199.tif 000002
【特許請求の範囲】
【請求項１】
表示画面を備えるデジタルＡＶ機器と、該デジタルＡＶ機器の操作を指示する複数個の操作ボタンを備える制御装置とからなるデジタルＡＶ機器システムにおいて、
前記制御装置は、各操作ボタンの操作機能を切替える機能切替ボタンを備え、前記デジタルＡＶ機器の表示画面に画面内の表示内容毎に領域分割し、当該デジタルＡＶ機器の機能を実行するための操作に対応する表示がされる領域と操作ボタンの機能を示す表示領域であって、当該操作切替ボタンによる切替に対応して、操作ボタン機能表示領域の表示を切り替えるよう指示する機能を有することを特徴とするデジタルＡＶ機器システム。
【請求項２】
デジタルＡＶ機器の操作を指示する複数個の操作ボタンを備え、デジタルＡＶ機器システムを構成するデジタルＡＶ機器の制御装置であって、
上記操作ボタンの少なくとも１つは、各操作ボタンの操作機能を切替える機能切替ボタンであり、そして、前記デジタルＡＶ機器の表示画面に画面内の表示内容毎に領域分割し、当該デジタルＡＶ機器の機能を実行するための操作に対応する表示がされる領域と操作ボタンの機能を示す表示領域であって、当該操作切替ボタンによる切替に対応して、操作ボタン機能表示領域の表示を切り替えるよう指示する機能を有することを特徴とするデジタルＡＶ機器の制御装置。
【請求項３】
請求項２記載のデジタルＡＶ機器の制御装置において、
複数からなる特定の操作ボタン群をグループに分類し、前記各ボタン群に対して、複数種類の当該機器の操作機能グループを割当てて、前記操作ボタン群の機能グループの切替を操作ボタンの機能切替ボタンで行うと同時に、操作切替ボタンによる切替に対応して、前記制御装置の操作ボタングループの機能を示す画面表示領域の表示を、各機能グループの各操作ボタンの機能を示す内容に切替えることを可能にしたデジタルＡＶ機器の制御装置。
【請求項４】
請求項３記載のデジタルＡＶ機器の制御装置であって、
当該制御装置の機能切替ボタンにより機能切替可能なボタン群に、本体操作の任意の機能グループの割当を変更記憶することを可能にしたデジタルＡＶ機器の制御装置。
【請求項５】
表示画面を備え、制御装置の指示により操作されるデジタルＡＶ機器であって、
上記制御装置の指示により、表示画面に画面内の表示内容毎を領域分割し、当該ＡＶ機器の機能を実行するための操作に対応する表示がされる領域と操作ボタンの機能を示す表示領域であって、当該操作切替ボタンよる切替に対応して、複数個有する操作ボタン機能表示領域を表示するとともに表示を切り替える機能を有することを特徴とするデジタルＡＶ機器。
【発明の詳細な説明】
【０００１】
【発明の属する技術分野】
本発明は、デジタルＡＶ機器システム及びデジタルＡＶ機器とその制御装置であり、特に、デジタルＡＶ機器において、機器を操作する制御装置の操作ボタンの機能を切替え、その機能方法を説明するための画面表示に関する。
【０００２】
【従来の技術】
デジタル放送受信機やハードディスクまたはＤＶＤ内蔵のデジタル録画機器等に代表される従来のデジタルＡＶ機器においては、本体操作を行うための制御装置として、リモートコントローラを備えるとともに、本体の操作を行うために本体の画面に表示されるオン・スクリーン・ディスプレイ（ＯＳＤ）上の操作画面を利用して、前述のリモートコントローラを用いて本体機能を操作するが、デジタル機器の多機能化、複雑化にともない、リモートコントローラ上の多数のボタンによって操作する。ＯＳＤ上に、リモートコントローラの操作方法を提供し、さらに、通常ＯＳＤで操作を行うための機能選択に移動可能なカーソルボタン等を表示する操作領域を有しているが、それとは別に、操作領域でのカーソル上下左右の移動や選択決定などの操作方法を説明するための、画面表示（ガイダンス表示）の領域を備え、ユーザーに対して操作補助を行うものが知られている（例えば、特許文献１参照）。
【０００３】
【特許文献１】
特開平８−２３７５６２号公報
【０００４】
【発明が解決しようとする課題】
しかしながら前述のガイダンス表示は、各操作画面に対する操作方法を説明をするものであって、現在表示中の操作以外の他の操作に関する表示はされるものではない。また、リモートコントローラ上のボタンが多数あるために、ガイダンス表示領域内に表示可能数を越えた操作説明については、表示出来ずに説明に制限が生じる可能性がある。そのため、操作説明用の表示画面を別に準備する場合もある。さらに現在表示している画面上で可能なリモートコントローラのボタン操作についても、画面に対して１：１に対応した機能しか持てないために、操作性の拡張に制限が生じる。
【０００５】
そこで本発明は、そのような状況に鑑みて、リモートコントローラ上の操作ボタンによってガイダンス画面を切替える事を可能にして、単一の表示画面上で複数のガイダンス表示を持ち表示のページングを可能にするとともに、ガイダンスの切替と同時にリモートコントローラの操作ボタンの機能を切替えることが可能なデジタルＡＶ機器システム及びデジタルＡＶ機器とその制御装置を提供することを目的とする。
【０００６】
【課題を解決するための手段】
本発明は前記課題を解決するために、本体の基本機能に対応する操作ボタンを有する制御手段と、各操作ボタンの操作機能を切替えるための制御装置上の切替手段と、当該機器のボタン機能を画面表示する手段と、操作機能に応じて表示画面を切替える手段を具備する。
【０００７】
さらに、当該機器の操作機能表示を表示内容毎に領域分割して表示し、その分割領域の一部に当該制御装置の操作ボタンの機能を示す表示領域を有し、機能切替ボタンにて機能説明領域の表示を切替える。
【０００８】
また、機能説明表示の切替とともに当該制御装置の操作ボタンの機能割当を切替える。さらには操作ボタンの機能割当を変更記憶する。
【０００９】
【発明の実施の形態】
本発明の実施の形態を説明する。
本発明のデジタルＡＶ機器システム及びデジタルＡＶ機器とその制御装置の実施例について、図１〜図３を参照して以下に説明する。図１は、実施例のデジタルＡＶ機器システムの概要図である。図２は、ガイダンス領域の表示切替操作図である。図３は、操作ボタン群への機能割当切替とガイダンス表示切替の図である。
【００１０】
実施例１を説明する。本発明のデジタルＡＶ機器としては、デジタル放送の受信機やハードディスク、ＤＶＤなどさまざまなデジタル記録メディアを内蔵したデジタル記録機器が挙げられるが、本実施例では、ハードディスクをデジタル記録メディアとして内蔵し、ＢＳデジタル放送を受信するデジタル放送受信機を挙げる。図１は実施例１のデジタルＡＶ機器システムの構成である。本実施例のデジタルＡＶ機器システムは、制御装置であるリモートコントローラ１、デジタルＡＶ機器２、モニタ３からなる。ＢＳデジタルアンテナに接続される受信機に映像出力を表示するモニタ３には、受信機の本体操作を行うための、オン・スクリーン・ディスプレイ（ＯＳＤ）が表示される。本体内には、リモートコントローラ１から発せられる各操作ボタンの識別コードを認識する赤外線受光部２１を備え、受光部２１で受信したコードを解析するマイクロコンピュータ２２が、システム全体の処理を担う中央演算処理装置（ＣＰＵ）２３に識別結果を送信し、ＣＰＵ２３がコードを解析して、解析結果から映像表示処理部２４へ表示方法を指示することでモニタ３にＯＳＤ出力を行う。このＯＳＤを操作するための制御装置としてリモートコントローラ１を備える。
【００１１】
リモートコントローラ１には、機器の起動のための電源ボタン、機器の基本操作の導入となるメニューＯＳＤを出力するメニューボタン、メニューＯＳＤ上などのカーソル移動のためのカーソル上下左右ボタン及び操作確定のための決定ボタン、またＢＳデジタル放送受信機に必要なカラーボタン４種（青、赤、緑、黄）、ハードディクスへ受信番組を録画するための録画ボタン、録画した番組を再生するための再生ボタン、録画及び再生を停止させる停止ボタンを持つ。また放送のチャンネルを選局するためテンキー（１）〜（１０）ボタンを備える。本実施例では、
説明のために基本的な操作のために、前述の操作ボタンに限定するが、実際には、当該機器の機能に応じて操作ボタンをこれに限るものではない。
【００１２】
ＯＳＤには本体の機能、操作に応じてさまざまは表示があるが、本実施例では、前述した本体の基本操作の導入となるメニューボタンによる表示を挙げる。図２にリモートコントローラのメニューボタンによって表示されたメニューＯＳＤの例４１〜４３を示す。このＯＳＤ表示には、「映像調整」や「音声調整」など本体の基本機能を実行するための各機能選択ボタンが表示する表示領域１とリモートコントローラにて前述の機能ボタン領域を操作するために必要なリモートコントローラの操作ボタンの説明を表示するガイダンス表示をする表示領域２とからなる。例えば、画面４１は、表示領域１の選択ボタンを上下左右に移動するためのカーソル移動を促すために、「カーソル上下左右で移動」を示し、カーソル移動して機能選択を実行させるために「決定で実行」の指示を表示している。このとき、リモートコントロール上の操作切替ボタンによって、前述のガイダンス領域の表示を切替え、画面４２に示すように、「録画で録画、再生で再生、停止で停止」の録画または再生の開始及び停止に関するリモートコントローラの操作ボタンの説明を表示してページングを行う。さらに、操作切替ボタンの実行によって、ガイダンス表示を切替え、画面４３に示すように、「（１）〜（１０）で選局、メニューで表示切」という選局とＯＳＤの表示切りの説明ガイダンスを表示し、最後にもう一度操作切替ボタンではじめのガイダンス表示に戻ることで、ガイダンス表示領域の複数の表示画面のページングを可能にする。
【００１３】
図３（ａ）から図３（ｃ）は、リモートコントローラの操作切替ボタンによって、ガイダンス画面５１〜５３をページングするとともに、リモートコントローラの操作ボタンの機能を変える例である。通常ＢＳデジタル放送のデータ放送において、カラーボタン（青、赤、緑、黄）に放送として操作を割り当てられ機能を実現しているが、本発明では、このカラーボタン群を１つの操作ボタングループとして扱う。前述の実施例に示したような、メニュー画面を表示した場合を考える。図３（ａ）のようにガイダンス表示画面５１では、通常放送受信時には４種のカラーボタンとしての機能を持っているが、リモートコントローラ上の操作切替ボタンを実行した場合に、青ボタンに再生、赤ボタンに録画、緑ボタンに停止、黄ボタンに一時停止の機能に切替えると同時に、図３（ｂ）の画面５２に示すようにガイダンス表示も切替えて操作の説明を行う。さらに図３（ｃ）の画面５３に示すように、操作切替ボタンにて、青ボタンに早戻し、黄色ボタンには早送りを割り当てて、ガイダンス表示切替とともに機能の切替を行う。本実施例では、４種のカラーボタンを操作ボタン群として扱っているが、例えばカーソル上下左右ボタンと決定ボタンを操作ボタン群として扱って、操作グループを割り当てることも可能であるし、また、（１）〜（１０）のテンキーを操作ボタン群として扱うことも考えられる。
【００１４】
さらに、操作切替の際に割り当てられるリモートコントローラの操作ボタン群に特定の操作機能を記憶させることで、ユーザーの任意の機能を操作切替で実現することができる。
【００１５】
【発明の効果】
本発明によれば、ＯＳＤ表示で示される操作のガイダンス表示をページング切り替えすることで、複数のガイダンスの表示を可能にし、ユーザーへの操作説明の向上を提供する。また、ページング切替とともにリモートコントローラの操作切替も可能にしていることから、ユーザーの操作性を向上する。加えてリモートコントローラの操作ボタンに複数の機能を能動的に割り当てることから、ボタン数の削減を実現できる。
【図面の簡単な説明】
【図１】実施例のデジタルＡＶ機器システムの概要図。
【図２】ガイダンス領域の表示切替操作図。
【図３】操作ボタン群への機能割当切替とガイダンス表示切替の図。
【符号の説明】
１  制御装置
２  デジタルＡＶ装置
２１  赤外線受光部
２２  マイクロコンピュータ
２３  ＣＰＵ
２４  映像表示処理部
２５  アンテナ
３  モニタ
４１〜５３  画面
【図１】
2004194199.tif 000003
【図２】
2004194199.tif 000004
【図３】
2004194199.tif 000005